(57)【要約】      （修正有）【課題】バンドが構造上の制約を受けずに、バンドの取付強度を確保でき、かつケースに対してバンドを容易に取り付けることができるバンド連結構造およびそれを備えた腕時計を提供する。【解決手段】外周面に取付部８が形成された腕時計ケース１と、この腕時計ケース１の取付部８に固定ねじ１５によって固定される固定部１３、およびこの固定部１３から腕時計ケース１の外側下部に向けて傾斜するガイド部１４が一体に形成されたバンド連結部材１０と、このバンド連結部材１０の固定部１３に締結部材１７によって連結された時計バンド７とを備えている。【選択図】図２
2015025677.tif 000002
【特許請求の範囲】
【請求項１】
外周面に取付部が形成されたケースと、
このケースの前記取付部に固定部材によって固定される固定部、およびこの固定部から前記ケースの外側下部に向けて傾斜するガイド部が一体に形成されたバンド連結部材と、
このバンド連結部材の前記固定部に締結部材によって取り付けられたバンドと
を備えていることを特徴とするバンド連結構造。
【請求項２】
請求項１に記載のバンド連結構造において、前記バンド連結部材の前記固定部および前記ガイド部は、金属材料からなるベース部とこのベース部を覆う合成樹脂からなるカバー部とを有し、これらがインサート成型によって一体に形成されていることを特徴とするバンド連結構造。
【請求項３】
請求項２に記載のバンド連結構造において、前記バンド連結部材の前記ガイド部は、前記ベース部に一対のガイド本体部が切欠き部を介して形成され、前記一対のガイド本体部が前記切欠き部と共に前記カバー部によって覆われていることを特徴とするバンド連結構造。
【請求項４】
請求項１〜請求項３のいずれかに記載のバンド連結構造において、前記ケースの下部には裏蓋が取り付けられ、前記バンド連結部材の前記固定部には前記裏蓋に向けて突出した突起部が設けられ、前記裏蓋には前記固定部の前記突起部が嵌着する係合部が設けられていることを特徴とするバンド連結構造。
【請求項５】
請求項１〜請求項４のいずれかに記載のバンド連結構造を備えていることを特徴とする腕時計。
【発明の詳細な説明】
【技術分野】
【０００１】
この発明は、腕時計などの電子機器を人体に装着するためのバンド連結構造およびそれを備えた腕時計に関する。
【背景技術】
【０００２】
例えば、腕時計においては、特許文献１に記載されているように、腕時計ケースの外周面に切欠き部を設け、この切欠き部に時計バンドの先端部である先カン部の取付部を係合させ、この先カン部の取付部を腕時計ケースとリング状の固定部材とで挟み、この状態で固定部材の下側から固定部材の貫通孔および先カン部の取付部に設けられた突起部の取付孔を通してねじを腕時計ケースのねじ穴に螺着させることにより、時計バンドを腕時計ケースに取り付けるように構成したものが知られている。
【先行技術文献】
【特許文献】
【０００３】
【特許文献１】特開２００３−３２９７８２号公報
【発明の概要】
【発明が解決しようとする課題】
【０００４】
しかしながら、このような腕時計のバンド連結構造では、時計バンドの先端部である先カン部の取付部を腕時計ケースとリング状の固定部材とで挟み、この状態で固定部材の下側から固定部材の貫通孔および先カン部の取付部に設けられた突起部の取付孔を通してねじを腕時計ケースのねじ穴に螺着させる構成であるから、腕時計ケースに対する時計バンドの取り付け作業が煩雑で面倒であるばかりか、取付強度を確保するために、先カン部の先端部に金属製の取付部をインサート成型しなければならず、このため時計バンドが構造上の制約を受け、時計バンドの構造が複雑になるという問題がある。
【０００５】
この発明が解決しようとする課題は、バンドが構造上の制約を受けずに、バンドの取付強度を確保でき、かつケースに対してバンドを容易に取り付けることができるバンド連結構造およびそれを備えた腕時計を提供することである。
【課題を解決するための手段】
【０００６】
この発明は、外周面に取付部が形成されたケースと、このケースの前記取付部に固定部材によって固定される固定部、およびこの固定部から前記ケースの外側下部に向けて傾斜するガイド部が一体に形成されたバンド連結部材と、このバンド連結部材の前記固定部に締結部材によって取り付けられたバンドとを備えていることを特徴とするバンド連結構造である。
【発明の効果】
【０００７】
この発明によれば、ケースの取付部にバンド連結部材の固定部を固定部材によって確実に固定することができると共に、この固定部にバンドを締結部材によって容易に取り付けることができ、このバンドをガイド部によってケースの外側下部に向けて傾斜するようにガイドすることができる。このため、バンドが構造上の制約を受けずに、バンド連結部材によってバンドの取付強度を確保することができると共に、ケースに対してバンドを容易に取り付けることができる。
【図面の簡単な説明】
【０００８】
【図１】この発明を腕時計に適用した第１実施形態における要部を示した正面図である。
【図２】図１に示された腕時計のＡ−Ａ矢視における要部の拡大断面図である。
【図３】図１に示された腕時計における腕時計ケースに対する時計バンドの取付部分を示した要部の拡大斜視図である。
【図４】図３に示された時計バンドの取付部分において、時計バンドおよびベゼルを取り外した状態を示した要部の拡大斜視図である。
【図５】図４に示された時計バンドの取付部分において、バンド連結部材を取り外した状態のケース本体を示した拡大斜視図である。
【図６】図４に示された時計バンドの取付部分におけるバンド連結部材を示し、（ａ）はその拡大斜視図、（ｂ）はカバー部を設ける前の状態のベース部を示した拡大斜視図である。
【図７】図１に示された腕時計のＢ−Ｂ矢視における要部の拡大断面図である。
【図８】この発明を腕時計に適用した第２実施形態におけるバンド連結部材を示し、（ａ）はその拡大斜視図、（ｂ）はカバー部を設ける前の状態のベース部を示した拡大斜視図である。
【図９】この発明を腕時計に適用した第３実施形態において、腕時計ケースに対する時計バンドの取付部分を示した要部の拡大断面図である。
【図１０】図９に示された時計バンドの取付部分におけるバンド連結部材を示し、（ａ）はその拡大斜視図、（ｂ）はカバー部を設ける前の状態のベース部を示した拡大斜視図である。
【図１１】図９に示された腕時計ケースの下部に取り付けられる裏蓋を示した拡大斜視図である。
【発明を実施するための形態】
【０００９】
（第１実施形態）
以下、図１〜図７を参照して、この発明を腕時計に適用した第１実施形態について説明する。
この腕時計は、図１および図２に示すように、腕時計ケース１を備えている。この腕時計ケース１は、ケース本体２とベゼル３とを有している。ケース本体２は、硬質の合成樹脂に金属の補強部材２ａをインサート成型によって形成した構成になっている。ベゼル３は、ウレタン樹脂などの合成樹脂からなり、ケース本体２の外周面にこれを覆うように設けられている。
【００１０】
この腕時計ケース１の上部開口部、つまりケース本体２の上部開口部には、図１および図２に示すように、時計ガラス４がパッキン４ａを介して取り付けられている。また、この腕時計ケース１の下部、つまりケース本体２の下部には、ステンレスなどの剛性の高い金属からなる裏蓋５が防水リング５ａを介して取り付けられている。
【００１１】
この腕時計ケース１の内部、つまりケース本体２の内部には、図２に示すように、時計モジュール６が組み込まれている。この時計モジュール６は、図１に示す指針６ａを運針するための時計ムーブメントやこの時計ムーブメントを駆動する回路基板など、時計機能に必要な各種の部品を備えている。
【００１２】
また、この腕時計ケース１は、図１および図２に示すように、１２時と６時とに位置する外周面に時計バンド７がそれぞれ取り付けられるように構成されている。この時計バンド７が取り付けられるケース本体２の外周面には、図４および図５に示すように、バンド連結部材１０が取り付けられる取付部８がそれぞれ一体に形成されている。
【００１３】
この取付部８は、図４および図５に示すように、その外端面が横長の長方形状の平坦面に形成されている。この取付部８の外周方向に位置する両側には、ねじ穴８ａがそれぞれ設けられている。また、この取付部８の両側に位置する各下端部には、取付部８に対するバンド連結部材１０の取付位置を規制するための規制突起部８ｂが、それぞれ外側に向けて突出して形成されている。
【００１４】
バンド連結部材１０は、図１〜図４に示すように、腕時計ケース１に対して時計バンド７を取り付けるためのものであり、図６（ａ）に示すように、金属材料からなるベース部１１と、このベース部１１を覆うカバー部１２とを有し、これらがインサート成型によって一体に形成された構成になっている。ベース部１１は、ステンレスなどの剛性の高い金属板で形成されている。カバー部１２は、ウレタン樹脂などの軟質の合成樹脂で形成されている。
【００１５】
このバンド連結部材１０は、図４および図６に示すように、折り曲げ加工されたベース部１１とこれを覆うカバー部１２とによって、ケース本体２の取付部８に固定される固定部１３と、この固定部１３からケース本体２の外側下部（図４では左下側）に向けて傾斜するガイド部１４とが一体に形成された構成になっている。固定部１３は、ケース本体２の取付部８に対応する横長の長方形状の固定本体部１３ａと、この固定本体部１３ａの長手方向の両端部に設けられた一対の固定取付部１３ｂとを有している。
【００１６】
この場合、固定本体部１３ａは、図６（ａ）に示すように、この固定本体部１３ａに対応するベース部１１の一面つまりケース本体２の取付部８に対して反対側に位置するベース部１１の外面にカバー部１２の固定カバー部１２ａが設けられた構成になっている。この固定本体部１３ａには、図２、図４〜図６に示すように、固定ねじ１５が挿入するねじ挿入孔１６が、ケース本体２の取付部８に設けられたねじ穴８ａに対応して設けられている。
【００１７】
これにより、固定部１３は、図２および図４に示すように、固定ねじ１５が固定本体部１３ａのねじ挿入孔１６を通してケース本体２の取付部８のねじ穴８ａに螺着することにより、ケース本体２の取付部８に取り付けられるように構成されている。一対の固定取付部１３ｂは、図４および図６に示すように、固定本体部１３ａの両側端部からケース本体２に対して反対側に向けて突出した状態で設けられている。
【００１８】
これにより、固定部１３は、図４および図５に示すように、固定本体部１３ａをケース本体２の取付部８に取り付ける際に、ケース本体２の取付部８に設けられた一対の規制突起部８ｂに一対の固定取付部１３ｂの下面が当接することにより、ケース本体２の取付部８に対して位置規制されるように構成されている。また、これら一対の固定取付部１３ｂには、締結部材１７を取り付けるための各取付孔１８が、同一軸上に互いに対向して設けられている。
【００１９】
この場合、一対の固定取付部１３ｂは、図７に示すように、ベゼル３がケース本体２の外周面に取り付けられた際に、ベゼル３に一体に形成された一対のキャップ部１９内にそれぞれ嵌着するように構成されている。これら一対のキャップ部１９には、それぞれ各挿入孔１９ａが一対の固定取付部１３ｂの各取付孔１８に対応して設けられている。
【００２０】
締結部材１７は、図７に示すように、先端部にねじ孔２０ａを有する第１ねじ部材２０と、この第１ねじ部材２０のねじ孔２０ａに螺着するねじ部２１ａを有する第２ねじ部材２１とを有している。この締結部材１７は、第１、第２の各ねじ部材２０、２１の先端部側が、ベゼル３に形成された一対のキャップ部１９の各挿入孔１９ａを通して、一対の固定取付部１３ｂの各取付孔１８にそれぞれ挿入した状態で、第１ねじ部材２０のねじ孔２０ａに第２ねじ部材２１のねじ部２１ａが螺着するように構成されている。
【００２１】
一方、ガイド部１４は、図６（ａ）および図６（ｂ）に示すように、固定部１３の固定本体部１３ａの下辺部からケース本体２の外部下側に向けて斜めに突出するガイド本体部１４ａと、このガイド本体部１４ａの両側に設けられた一対のガイド側板部１４ｂとを有している。このガイド部１４は、これに対応するベース部１１の全面、つまりガイド本体部１４ａおよび一対のガイド側板部１４ｂの各全面に亘ってガイドカバー部１２ｂが設けられた構成になっている。
【００２２】
これら一対のガイド側板部１４ｂは、図６（ａ）および図６（ｂ）に示すように、ガイド本体部１４ａの両側端部からケース本体２に対して反対側に向けて突出した状態で設けられている。これら一対のガイド側板部１４ｂには、図３に示すように、押え部材２２を取り付けるための各取付孔２３が同一軸上に互いに対向して設けられている。
【００２３】
この場合、押え部材２２は、図３に示すように、一対のガイド側板部１４ｂ間に配置されるパイプ２２ａと、一対のガイド側板部１４ｂの各取付孔２３を通してパイプ２２ａの両端部のねじ穴部（図示せず）に螺着する各ねじ部２２ｂとを有している。この押え部材２２は、各ねじ部２２ｂによってパイプ２２ａが一対のガイド側板部１４ｂ間に取り付けられた際に、このパイプ２２ａとバンド連結部材１０のガイド部１４との間に時計バンド７を挟み付けるように構成されている。
【００２４】
時計バンド７は、図１〜図３に示すように、ウレタン樹脂などの軟質の合成樹脂からなる樹脂バンドであり、長手方向に対して直交する方向の長さ（幅）が、バンド連結部材１０の固定部１３の両側部に位置する一対の固定取付部１３ｂ間、およびバンド連結部材１０のガイド部１４の両側に位置する一対のガイド側板部１４ｂ間の各長さと同じか、それよりも短い長さで形成されている。
【００２５】
この時計バンド７の端部、つまり腕時計ケース１側に位置する時計バンド７の端部には、図７に示すように、締結部材１７の第１、第２の各ねじ部材２０、２１が挿入する連結孔７ａが、長手方向に対して直交する方向に貫通して設けられている。この連結孔７ａは、時計バンド７の端部をバンド連結部材１０の固定部１３の両側部に位置する一対の固定取付部１３ｂ間に配置した際に、一対の固定取付部１３ｂに設けられた各取付孔１８およびベゼル３に形成された一対のキャップ部１９の各挿入孔１９ａと同一軸上に対応するように形成されている。
【００２６】
次に、このような腕時計のバンド連結構造の作用について説明する。
まず、バンド連結部材１０を製作する場合には、図６（ｂ）に示すように、ベース部１１の金属板を折り曲げて、固定部１３の金属部とガイド部１４の金属部とを形成する。このときには、固定部１３の金属部が、固定本体部１３ａの金属部と、この固定本体部１３ａの金属部の両側に位置する一対の固定取付部１３ｂの金属部とによって形成される。
【００２７】
また、このときには、図６（ｂ）に示すように、ガイド部１４の金属部が、固定部１３の固定本体部１３ａの金属部の下辺部からケース本体２の外部下側に向けて斜めに突出するガイド本体部１４ａの金属部と、このガイド本体部１４ａの金属部の両側に位置する一対のガイド側板部１４ｂの各金属部とによって形成される。
【００２８】
そして、この金属製のベース部１１を成型用金型内に配置して、ベース部１１の表面にカバー部１２をインサート成型によって形成する。このときには、固定部１３の固定本体部１３ａの金属部における一面、つまりケース本体２の取付部８に対して反対側に位置する金属部の外面に固定カバー部１２ａが形成される。また、ガイド部１４の金属部の全面、つまりガイド本体部１４ａおよび一対のガイド側板部１４ｂの各金属部の全面にガイドカバー部１２ｂが形成される。
【００２９】
これにより、固定部１３は、固定本体部１３ａに対応するベース部１１の金属部、一対の固定取付部１３ｂに対応するベース部１１の金属部、および固定カバー部１２ａによって形成される。また、ガイド部１４は、ガイド本体部１４ａに対応するベース部１１の金属部、一対のガイド側板部１４ｂに対応するベース部１１の金属部、およびこれらに対応するベース部１１の各金属部の全面に亘って設けられたガイドカバー部１２ｂによって形成される。
【００３０】
このように形成されたバンド連結部材１０を腕時計ケース１に取り付ける場合には、図２および図４に示すように、まず、バンド連結部材１０の固定部１３の固定本体部１３ａをケース本体２の取付部８に配置する。このときには、固定部１３の一対の固定取付部１３ｂをケース本体２の取付部８に設けられた一対の規制突起部８ｂ上に配置して、固定部１３をケース本体２の取付部８に対して位置規制すると共に、固定部１３の固定本体部１３ａの各ねじ挿入孔１６をケース本体２の取付部８の各ねじ穴８ａに対応させる。
【００３１】
この状態で、図２および図４に示すように、固定ねじ１５を固定部１３の固定本体部１３ａの外側から固定本体部１３ａの各ねじ挿入孔１６に挿入させてケース本体２の取付部８の各ねじ穴８ａに螺合させ、この螺合した固定ねじ１５を締め付ける。これにより、固定部１３の固定本体部１３ａがケース本体２の取付部８に取り付けられることにより、バンド連結部材１０がケース本体２に取り付けられる。
【００３２】
そして、このバンド連結部材１０に時計バンド７を取り付ける場合には、図３および図７に示すように、まず、ケース本体２の外周面にベゼル３を装着する。すると、ベゼル３に形成された一対のキャップ部１９内に、バンド連結部材１０の固定部１３の両側部に位置する一対の固定取付部１３ｂが嵌合する。
【００３３】
このときには、図７に示すように、一対のキャップ部１９の各挿入孔１９ａが一対の固定取付部１３ｂの各取付孔１８に同一軸上に対応する。この状態で、時計バンド７の端部をバンド連結部材１０の固定部１３の両側部に位置する一対の固定取付部１３ｂ間に配置し、時計バンド７の端部に設けられた連結孔７ａを一対の固定取付部１３ｂに設けられた各取付孔１８に同一軸上に対応させる。
【００３４】
この状態で、図７に示すように、一対の固定取付部１３ｂのうち、一方の固定取付部１３ｂの外側からキャップ部１９の挿入孔１９ａを通して、締結部材１７の第１ねじ部材２０を一方の固定取付部１３ｂの取付孔１８に挿入させて時計バンド７の連結孔７ａ内に挿入する。また、他方の固定取付部１３ｂの外側からキャップ部１９の挿入孔１９ａを通して、締結部材１７の第２ねじ部材２１を他方の固定取付部１３ｂの取付孔１８に挿入させて時計バンド７の連結孔７ａ内に挿入する。
【００３５】
そして、時計バンド７の連結孔７ａ内に挿入された第１ねじ部材２０のねじ孔２０ａに、時計バンド７の連結孔７ａ内に挿入された第２ねじ部材２１のねじ部２１ａを螺合させて、第１、第２の各ねじ部材２０、２１を締め付ける。これにより、第１ねじ部材２０のねじ孔２０ａに第２ねじ部材２１のねじ部２１ａが螺着して、時計バンド７の端部がバンド連結部材１０に取り付けられる。
【００３６】
この後、図３に示すように、バンド連結部材１０のガイド部１４に押え部材２２を取り付けて時計バンド７をガイド部１４に押え付ける。このときには、時計バンド７の外側から押え部材２２のパイプ２２ａを一対のガイド側板部１４ｂ間に配置し、このパイプ２２ａの両端部を一対のガイド側板部１４ｂの各取付孔２３に対応させる。この状態で、各ねじ部２２ｂを一対のガイド側板部１４ｂの各取付孔２３からパイプ２２ａの両端部の各ねじ穴部（図示せず）に螺着させる。
【００３７】
これにより、図３に示すように、押え部材２２のパイプ２２ａが一対のガイド側板部１４ｂ間に取り付けられ、このパイプ２２ａが時計バンド７をガイド部１４に押し付ける。この状態では、時計バンド７が締結部材１７の第１、第２の各ねじ部材２０、２１を中心に回転することなく、バンド連結部材１０に取り付けられる。
【００３８】
このように、この腕時計のバンド連結構造によれば、外周面に取付部８が形成された腕時計ケース１と、この腕時計ケース１の取付部８に固定ねじ１５によって固定される固定部１３、およびこの固定部１３から腕時計ケース１の外側下部に向けて傾斜するガイド部１４が一体に形成されたバンド連結部材１０と、このバンド連結部材１０の固定部１３に締結部材１７によって連結される時計バンド７とを備えているので、時計バンド７が構造上の制約を受けずに、時計バンド７の取付強度を確保でき、かつ腕時計ケース１に対して時計バンド７を容易に取り付けることができる。
【００３９】
すなわち、このバンド連結構造では、腕時計ケース１の取付部８にバンド連結部材１０の固定部１３を固定ねじ１５によって確実に固定することができると共に、この固定部１３に時計バンド７を締結部材１７によって容易に取り付けることができ、この時計バンド７をガイド部１４によって腕時計ケース１の外側下部に向けて傾斜するようにガイドすることができる。このため、時計バンド７が構造上の制約を受けずに、バンド連結部材１０によって時計バンド７の取付強度を確保することができると共に、腕時計ケース１に対して時計バンド７を容易に取り付けることができる。
【００４０】
この場合、時計バンド７をバンド連結部材１０に取り付ける締結部材１７は、先端部にねじ孔２０ａを有する第１ねじ部材２０と、この第１ねじ部材２０のねじ孔２０ａに螺着するねじ部２１ａを有する第２ねじ部材２１とを有しているので、時計バンド７の端部をバンド連結部材１０の一対の固定取付部１３ｂ間に配置した状態で、第１、第２の各ねじ部材２０、２１の先端部側を一対の固定取付部１３ｂの各取付孔１８から時計バンド７の連結孔７ａに挿入させて、第１ねじ部材２０のねじ孔２０ａに第２ねじ部材２１のねじ部２１ａが螺着するだけで、簡単にかつ容易に時計バンド７を腕時計ケース１に取り付けることができる。
【００４１】
また、このバンド連結構造では、時計バンド７をバンド連結部材１０に取り付ける際に、固定部１３の一対の固定取付部１３ｂがベゼル３に形成された一対のキャップ部１９内にそれぞれ嵌合し、この状態で一対のキャップ部１９が固定部１３の一対の固定取付部１３ｂに締結部材１７によって取り付けられるので、ベゼル３をケース本体２に確実にかつ強固に取り付けることができる。
【００４２】
また、バンド連結部材７の固定部１３およびガイド部１４は、金属材料からなるベース部１１とこのベース部１１を覆う合成樹脂からなるカバー部１２とを有し、これらがインサート成型によって一体に形成されていることにより、金属材料からなるベース部１１によってバンド連結部材１０の強度を確保することができる。これにより、時計バンド７の取付強度を高めることができると共に、カバー部１２によって時計バンド７を傷つけないようにすることができる。
【００４３】
すなわち、腕時計ケース１は、硬質の合成樹脂に金属の補強部材２ａをインサート成型してなるケース本体２と、このケース本体２の外周面に設けて軟質の合成樹脂からなるベゼル３とを有し、バンド連結部材１０は、その固定部１３に対応するベース部１１の金属部がケース本体２の取付部８に取り付けられる構成であるから、バンド連結部材１０をケース本体２に高い強度で取り付けることができる。
【００４４】
このため、ケース本体２が合成樹脂によって形成されていても、バンド連結部材１０が金属製のベース部１１を有しているので、バンド連結部材１０の肉厚を薄く形成しても、十分な強度を確保することができる。これにより、バンド連結部材１０全体の肉厚を薄く形成することができるので、外観性およびデザイン性を高めることができると共に、幅の広い時計バンド７を取り付けることができる。
【００４５】
また、時計バンド７をバンド連結部材１０に取り付けた際には、時計バンド７を金属製のベース部１１に直接接触させずに、カバー部１２に接触させることができるので、時計バンド７を傷つけることなく、バンド連結部材１０に確実にかつ良好に取り付けることができると共に、バンド連結部材１０のガイド部１４を物などにぶつけても、物を傷つけないようにすることができる。
【００４６】
この場合、バンド連結部材１０のガイド部１４には、押え部材２２が取り付けられているので、この押え部材２２によって時計バンド７をガイド部１４に押し付けて固定することができる。これにより、時計バンド７が締結部材１７を中心に回転するのを防ぐことができるので、時計バンド７をバンド連結部材１０に良好に取り付けることができる。
【００４７】
（第２実施形態）
次に、図８（ａ）および図８（ｂ）を参照して、この発明を腕時計に適用した第２実施形態について説明する。なお、図１〜図７に示された第１実施形態と同一部分には同一符号を付して説明する。
この腕時計は、図８（ａ）および図８（ｂ）に示すように、腕時計ケース１に対して時計バンド７を取り付けるためのバンド連結部材２５が第１実施形態と異なる構成であり、これ以外は第１実施形態と同じ構成になっている。
【００４８】
すなわち、このバンド連結部材２５は、第１実施形態と同様、金属材料からなるベース部１１と、このベース部１１を覆うカバー部１２とを有し、これらがインサート成型によって一体に形成された構成になっている。ベース部１１は、ステンレスなどの剛性の高い金属板で形成されている。カバー部１２は、ウレタン樹脂などの軟質の合成樹脂で形成されている。
【００４９】
このバンド連結部材２５は、図８（ａ）および図８（ｂ）に示すように、折り曲げ加工されたベース部１１とこれを覆うカバー部１２とによって、ケース本体２の取付部８に固定される固定部１３と、この固定部１３からケース本体２の外側下部（図４では左下側）に向けて傾斜するガイド部２６とが一体に形成された構成になっている。
【００５０】
固定部１３は、第１実施形態と同様、ケース本体２の取付部８に対応する横長の長方形状の固定本体部１３ａと、この固定本体部１３ａの長手方向の両端部に設けられた一対の固定取付部１３ｂとを有している。固定本体部１３ａは、図８（ａ）に示すように、これに対応するベース部１１の一面つまりケース本体２の取付部８に対して反対側に位置するベース部１１の外面にカバー部１２の固定カバー部１２ａが設けられた構成になっている。
【００５１】
この固定本体部１３ａには、第１実施形態と同様、固定ねじ１５が挿入するねじ挿入孔１６が、ケース本体２の取付部８に設けられたねじ穴８ａに対応して設けられている。また、一対の固定取付部１３ｂは、固定本体部１３ａの両側端部からケース本体２に対して反対側に向けて突出した状態で設けられている。これら一対の固定取付部１３ｂには、締結部材１７を取り付けるための各取付孔１８が、同一軸上に互いに対向して設けられている。
【００５２】
この場合にも、一対の固定取付部１３ｂは、第１実施形態と同様、ベゼル３がケース本体２の外周面に取り付けられた際に、ベゼル３に一体に形成された一対のキャップ部１９内にそれぞれ嵌着するように構成されている。これら一対のキャップ部１９には、それぞれ各挿入孔１９ａが一対の固定取付部１３ｂの各取付孔１８に対応して設けられている。
【００５３】
一方、ガイド部２６は、図８（ａ）および図８（ｂ）に示すように、固定部１３の固定本体部１３ａにおける下辺部の両側からそれぞれケース本体２の外部下側に向けて斜めに突出する一対のガイド本体部２６ａと、これら一対のガイド本体部２６ａの各側辺部にそれぞれ設けられた一対のガイド側板部２６ｂと、これら一対のガイド本体部２６ａおよび一対のガイド側板部２６ｂを覆うカバー部１２ｂと、を有している。
【００５４】
このガイド部２６は、図８（ａ）および図８（ｂ）に示すように、ベース部１１の金属部からなる一対のガイド本体部２６ａが固定本体部１３ａにおける下辺部の両側に設けられていることにより、一対のガイド本体部２６ａ間に切欠き部２６ｃが設けられた構成になっている。
【００５５】
また、このガイド部２６は、図８（ａ）および図８（ｂ）に示すように、一対のガイド本体部２６ａが固定本体部１３ａにおける下辺部の両側に切欠き部２６ｃを介して設けられているため、固定本体部１３ａに対する一対のガイド本体部２６ａの各連結部分が切欠き部２６ｃによって短くなり、これにより固定本体部１３ａに対して一対のガイド本体部２６ａがそれぞれ独立して弾力的に変形するように構成されている。
【００５６】
さらに、このガイド部２６は、図８（ａ）および図８（ｂ）に示すように、これが対応するベース部１１の全面、つまり一対のガイド本体部２６ａおよび一対のガイド側板部２６ｂの各全面に亘ってガイドカバー部１２ｂが設けられているほか、一対のガイド本体部２６ａ間に位置する切欠き部２６ｃにもガイドカバー部１２ｂが設けられた構成になっている。
【００５７】
これら一対のガイド側板部２６ｂは、第１実施形態と同様、一対のガイド本体部２６ａの側端部からケース本体２に対して反対側に向けて突出した状態で設けられている。これら一対のガイド側板部２６ｂには、図３に示したように、押え部材２２を取り付けるための各取付孔２３が、同一軸上に互いに対向して設けられている。
【００５８】
このような腕時計のバンド連結構造によれば、第１実施形態と同様の作用効果があるほか、バンド連結部材２５のガイド部２６が、固定本体部１３ａにおける下辺部の両側に設けられた一対のガイド本体部２６ａを有し、これら一対のガイド本体部２６ａ間に切欠き部２６ｃを形成した構成であるから、一対のガイド本体部２６ａを固定本体部１３ａに対してそれぞれ独立して弾力的に変形させることができる。
【００５９】
このため、このバンド連結構造では、バンド連結部材２５が衝撃を受けた際に、一対のガイド本体部２６ａが固定部１３に対して弾力的に変形することによって、衝撃を緩衝することができるので、腕時計ケース１の取付部８に固定されたバンド連結部材２５の固定部１３に対する衝撃を一対のガイド本体部２６ａによって緩和することができ、これにより耐衝撃性の高いものを提供することができる。
【００６０】
この場合、ガイド部２６は、これに対応するベース部１１の全面、つまり一対のガイド本体部２６ａおよび一対のガイド側板部２６ｂの各全面に亘ってガイドカバー部１２ｂが設けられているほか、一対のガイド本体部２６ａ間に位置する切欠き部２６ｃにもガイドカバー部１２ｂが設けられているので、第１実施形態と同様、時計バンド７を金属製のベース部１１に直接接触させずに、カバー部１２に接触させることができるので、時計バンド７を傷つけることなく、バンド連結部材２５に確実にかつ良好に取り付けることができる。
【００６１】
（第３実施形態）
次に、図９〜図１１を参照して、この発明を腕時計に適用した第３実施形態について説明する。この場合にも、図１〜図７に示された第１実施形態と同一部分に同一符号を付して説明する。
この腕時計は、図９に示すように、バンド連結部材１０の固定部１３に一対の突起部３０を設け、これら一対の突起部３０を裏蓋５の一対の係合孔部３１にそれぞれ係合させた構成であり、これ以外は第１実施形態と同じ構成になっている。
【００６２】
固定部１３の一対の突起部３０は、図１０（ａ）および図１０（ｂ）に示すように、固定本体部１３ａの下端部における両側から下側に向けてそれぞれ突出して形成されている。すなわち、これら一対の突起部３０は、図９および図１０（ｂ）に示すように、固定本体部１３ａに対応するベース部１１の金属部に一体に形成されている。また、これら一対の突起部３０は、固定本体部１３ａの下端部から突出する突出長さが、裏蓋５の厚みとほぼ同じ長さに形成されている。
【００６３】
一方、裏蓋５の一対の係合孔部３１は、図９および図１１に示すように、裏蓋５がケース本体２の下部に配置された際に、固定部１３の一対の突起部３０がそれぞれ嵌着する矩形状の貫通孔である。これら一対の係合孔部３１は、バンド連結部材１０の固定部１３がケース本体２の取付部８に取り付けられる際に、固定部１３の一対の突起部３０がそれぞれ対応する裏蓋５の個所に設けられている。この場合、裏蓋５は、ステンレスなどの剛性の高い金属によって形成されている。
【００６４】
次に、このような腕時計のバンド連結構造の作用について説明する。
バンド連結部材１０を腕時計ケース１に取り付けて、裏蓋５を腕時計ケース１の下部に取り付ける場合には、まず、第１実施形態と同様、バンド連結部材１０の固定部１３を腕時計ケース１のケース本体２に設けられた取付部８に配置する。
【００６５】
このときには、第１実施形態と同様、固定部１３の一対の固定取付部１３ｂをケース本体２の取付部８に設けられた一対の規制突起部８ｂ上に配置して、固定部１３をケース本体２の取付部８に対して位置規制すると共に、固定部１３の固定本体部１３ａの各ねじ挿入孔１６をケース本体２の取付部８の各ねじ穴８ａに対応させる。
【００６６】
このときには、図９に示すように、固定部１３の下端部に形成された一対の突起部３０がケース本体２の下面から下側に突出した状態で、固定部の固定本体部１３ａがケース本体２の取付部８に配置される。この状態で、図９に示すように、固定部１３の固定本体部１３ａをケース本体２の取付部８に固定ねじ１５によって取り付ける。
【００６７】
このときには、第１実施形態と同様、固定ねじ１５を固定部１３の固定本体部１３ａの外側から固定本体部１３ａの各ねじ挿入孔１６に挿入させてケース本体２の取付部８の各ねじ穴８ａに螺合させ、この螺合した固定ねじ１５を締め付ける。これにより、固定部１３の固定本体部１３ａがケース本体２の取付部８に取り付けられることにより、バンド連結部材１０がケース本体２に取り付けられる。
【００６８】
そして、ケース本体２の下部に裏蓋５を取り付ける際には、図９に示すように、裏蓋５をケース本体２の下部に配置して、裏蓋５の各係合孔部３１をバンド連結部材１０の固定部１３に形成された各突起部３０に対応させる。このときには、固定部１３の各突起部３０がケース本体２の下側に突出しているので、この突出した各突起部３０を裏蓋５の各係合孔部３１に嵌着させる。
【００６９】
この状態で、裏蓋５をケース本体２の下面に複数のビス（図示せず）によって取り付ける。これにより、バンド連結部材１０は、固定部１３の固定本体部１３ａが固定ねじ１５によってケース本体２の取付部８に取り付けられると共に、固定部１３の一対の突起部３０がケース本体２の下部取り付けられた裏蓋５の係合孔部３１に嵌着して固定される。このため、バンド連結部材１０は、ケース本体２に対して第１実施形態よりも強固に取り付けられる。
【００７０】
このように、この腕時計のバンド連結構造によれば、第１実施形態と同様の作用効果があるほか、腕時計ケース１の下部に裏蓋５が取り付けられ、バンド連結部材１０の固定部１３に一対の突起部３０が裏蓋５に向けて突出して設けられ、裏蓋５に固定部１３の各突起部３０が嵌着する係合孔部３１がそれぞれ設けられているので、固定部１３に加わる負荷を腕時計ケース１の取付部８と裏蓋５とに分散させることができる。このため、固定部１３をケース本体２の取付部８に取り付けるための固定ねじ１５に負荷が集中するのを防ぐことができるので、バンド連結部材１０を腕時計ケース１に対して確実にかつ強固に取り付けることができる。
【００７１】
すなわち、裏蓋５は、ステンレスなどの剛性の高い金属によって形成されて、腕時計ケース１のケース本体２に取り付けられ、バンド連結部材１０の固定部１３は、ケース本体２の取付部８に固定ねじ１５によって取り付けられ、かつこの状態で固定部１３の一対の突起部３０がケース本体２の下部取り付けられた裏蓋５の係合孔部３１に嵌着して固定されるので、固定部１３に加わる負荷が固定ねじ１５に集中せず、その負荷を腕時計ケース１の取付部８と裏蓋５とに分散させることができ、このため第１実施形態よりも、バンド連結部材１０を腕時計ケース１に対して強固に取り付けることができる。
【００７２】
また、バンド連結部材１０の固定部１３の上端部にも一対の突起部３０を上側に突出するように設けて、ベゼル３の対応する箇所には係合孔部を設け、各突起部３０が嵌着して固定されるようにしてもよい。さらに固定部１３に加わる負荷を分散でき、より一層、バンド連結部材１０を腕時計ケース１に対して強固に取り付けることができる。
【００７３】
また、バンド連結部材１０の固定部１３の上端部にだけ一対の突起部３０を上側に突出するように設けて、ベゼル３の対応する箇所には係合孔部を設け、各突起部３０が嵌着して固定されるようにしてもよい。この場合でも、固定部１３に加わる負荷が固定ねじ１５に集中せず、その負荷を腕時計ケース１の取付部８とベゼル３とに分散させることができ、第１実施形態よりも、バンド連結部材１０を腕時計ケース１に対して強固に取り付けることができる。
【００７４】
なお、上述した実施形態では、時計バンド７がウレタン樹脂などの軟質の合成樹脂からなる樹脂バンドである場合について述べたが、これに限らず、例えば金属駒を順次連結してなる金属バンドを用いた場合にも適用することができる。
【００７５】
また、上述した実施形態では、腕時計に適用した場合について述べたが、必ずしも腕時計である必要はなく、例えば腕などの人体に装着して使用する血圧計や脈拍計などの電子機器にも適用することができる。
【００７６】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００７７】
（付記）
請求項１に記載の発明は、外周面に取付部が形成されたケースと、このケースの前記取付部に固定部材によって固定される固定部、およびこの固定部から前記ケースの外側下部に向けて傾斜するガイド部が一体に形成されたバンド連結部材と、このバンド連結部材の前記固定部に締結部材によって取り付けられたバンドと、を備えていることを特徴とするバンド連結構造である。
【００７８】
請求項２に記載の発明は、請求項１に記載のバンド連結構造において、前記バンド連結部材の前記固定部および前記ガイド部は、金属材料からなるベース部とこのベース部を覆う合成樹脂からなるカバー部とを有し、これらがインサート成型によって一体に形成されていることを特徴とするバンド連結構造である。
【００７９】
請求項３に記載の発明は、請求項２に記載のバンド連結構造において、前記バンド連結部材の前記ガイド部は、前記ベース部に一対のガイド本体部が切欠き部を介して形成され、前記一対のガイド本体部が前記切欠き部と共に前記カバー部によって覆われていることを特徴とするバンド連結構造である。
【００８０】
請求項４に記載の発明は、請求項１〜請求項３のいずれかに記載のバンド連結構造において、前記ケースの下部には裏蓋が取り付けられ、前記バンド連結部材の前記固定部には前記裏蓋に向けて突出した突起部が設けられ、前記裏蓋には前記固定部の前記突起部が嵌着する係合部が設けられていることを特徴とするバンド連結構造である。
【００８１】
請求項５に記載の発明は、請求項１〜請求項４のいずれかに記載のバンド連結構造を備えていることを特徴とする腕時計である。
【符号の説明】
【００８２】
１  腕時計ケース
２  ケース本体
３  ベゼル
５  裏蓋
７  時計バンド
８  取付部
１０、２５  バンド連結部材
１１  ベース部
１２  カバー部
１３  固定部
１４  ガイド部
１５  固定ねじ
１７  締結部材
２０  第１ねじ部材
２１  第２ねじ部材
２２  押え部材
２６  一対のガイド部
３０  一対の突起部
３１  係合孔部
【図１】
2015025677.tif 000003
【図２】
2015025677.tif 000004
【図３】
2015025677.tif 000005
【図４】
2015025677.tif 000006
【図５】
2015025677.tif 000007
【図６】
2015025677.tif 000008
【図７】
2015025677.tif 000009
【図８】
2015025677.tif 000010
【図９】
2015025677.tif 000011
【図１０】
2015025677.tif 000012
【図１１】
2015025677.tif 000013